(57)【要約】【課題】  ユーザが運動を実施する環境及び運動の継続レベルを考慮してユーザに適切な運動メニューを処方し、ユーザに運動を継続して行わせることができる運動支援装置及び運動支援方法を提供する。【解決手段】  ユーザから入力された身体情報及び生活活動指数が取得され（ステップＳ１０）、ＢＭＩ指数が算出される（ステップＳ１４）。次に、生活活動指数及びＢＭＩ指数に基づいてユーザの運動可能レベルが求められ（ステップＳ１６）、ユーザの運動可能レベルに応じた運動メニュー候補が選択される（ステップＳ１８）。そして、ユーザによって運動メニューが選択されると（ステップＳ２０）、選択結果がメモリ２２の運動履歴テーブルに保存される（ステップＳ２２）。【選択図】      図２
2008250551.tif 000002
【特許請求の範囲】
【請求項１】
ユーザの身体情報及び日常生活における運動量を示す生活活動指数を取得する情報取得手段と、
前記ユーザの身体情報及び生活活動指数に応じて、前記ユーザの運動可能レベルを判定する運動可能レベル判定手段と、
前記ユーザの運動可能レベルに応じて、前記ユーザに最適な運動時間及び運動強度が得られるように運動メニューの候補を選択する候補選択手段と、
前記運動メニューの候補の中から、前記ユーザが実施する運動メニューを選択するための実施メニュー選択手段と、
前記実施メニュー選択手段によって選択された運動メニューの履歴を記録する運動履歴記録手段と、
を備えることを特徴とする運動支援装置。
【請求項２】
前記ユーザの現在位置の天候情報を取得する天候情報取得手段を更に備え、
前記候補選択手段は、前記天候情報に応じて、前記運動メニューの候補を選択することを特徴とする請求項１記載の運動支援装置。
【請求項３】
前記ユーザの現在位置を示す位置情報を取得する位置情報取得手段と、
前記ユーザの現在位置付近の施設の情報を含む地図情報を取得する地図情報取得手段と、
前記運動メニューの候補を表示する表示手段であって、前記運動メニューを実施する場合に最適な施設の情報を、前記運動メニューの候補とともに表示する表示手段と、
を更に備えることを特徴とする請求項１又は２記載の運動支援装置。
【請求項４】
前記運動可能レベル判定手段は、前記記録手段に記録された運動メニューの履歴に基づいて、前記運動メニューの実施に継続性があると判断した場合に、前記運動可能レベルを上げることを特徴とする請求項１から３のいずれか１項記載の運動支援装置。
【請求項５】
前記運動可能レベル判定手段は、前記記録手段に記録された運動メニューの履歴に基づいて、前記運動メニューの実施に継続性がないと判断した場合に、前記運動可能レベルを下げることを特徴とする請求項１から４のいずれか１項記載の運動支援装置。
【請求項６】
ユーザの身体情報及び日常生活における運動量を示す生活活動指数を取得する情報取得工程と、
前記ユーザの身体情報及び生活活動指数に応じて、前記ユーザの運動可能レベルを判定する運動可能レベル判定工程と、
前記ユーザの運動可能レベルに応じて、前記ユーザに最適な運動時間及び運動強度が得られるように運動メニューの候補を選択する候補選択工程と、
前記運動メニューの候補の中から、前記ユーザが実施する運動メニューを選択するための実施メニュー選択工程と、
前記実施メニュー選択工程において選択された運動メニューの履歴を記録する運動履歴記録工程と、
を備えることを特徴とする運動支援方法。
【請求項７】
前記ユーザの現在位置の天候情報を取得する天候情報取得工程を更に備え、
前記候補選択工程において、前記天候情報に応じて、前記運動メニューの候補を選択することを特徴とする請求項６記載の運動支援方法。
【請求項８】
前記ユーザの現在位置を示す位置情報を取得する位置情報取得工程と、
前記ユーザの現在位置付近の施設の情報を含む地図情報を取得する地図情報取得工程と、
前記運動メニューを実施する場合に最適な施設の情報を取得して前記運動メニューの候補とともに表示する表示工程と、
を更に備えることを特徴とする請求項６又は７記載の運動支援方法。
【請求項９】
前記記録工程において記録された運動メニューの履歴に基づいて、前記運動メニューの実施に継続性があると判断した場合に、前記運動可能レベルを上げる工程を更に備えることを特徴とする請求項６から８のいずれか１項記載の運動支援方法。
【請求項１０】
前記記録工程において記録された運動メニューの履歴に基づいて、前記運動メニューの実施に継続性がないと判断した場合に、前記運動可能レベルを下げる工程を更に備えることを特徴とする請求項６から９のいずれか１項記載の運動支援方法。
【発明の詳細な説明】
【技術分野】
【０００１】
本発明は運動支援装置及び運動支援方法に係り、特にユーザの健康づくりのために適切な運動メニューを処方する運動支援装置及び運動支援方法に関する。
【背景技術】
【０００２】
特許文献１には、脈拍数及び脈波を利用してユーザの健康状態を示す指標をもとに使用者の体調を考慮に入れた上で、使用者の健康づくりのために適切と考えられる運動を処方することができる運動支援装置が開示されている。
【特許文献１】特開２００４−２６１６０８号公報
【発明の開示】
【発明が解決しようとする課題】
【０００３】
従来の運動系ダイエット支援装置は、（１）理想体型との差異と同等の運動量を要求しがちであり、ユーザの個性を考慮したものではなかった。また、（２）運動を実施する実施環境（例えば、天候、時期等）に関係なくメニューを選択するため、ユーザが実施不可能なメニューが選択される場合があった。また、（３）継続実施により運動に対する慣れが生じる点が考慮されていないという問題があった。
【０００４】
本発明はこのような事情に鑑みてなされたもので、ユーザが運動を実施する環境及び運動の継続レベルを考慮してユーザに適切な運動メニューを処方し、ユーザに運動を継続して行わせることができる運動支援装置及び運動支援方法を提供することを目的とする。
【課題を解決するための手段】
【０００５】
上記課題を解決するために、本願発明１に係る運動支援装置は、ユーザの身体情報及び日常生活における運動量を示す生活活動指数を取得する情報取得手段と、前記ユーザの身体情報及び生活活動指数に応じて、前記ユーザの運動可能レベルを判定する運動可能レベル判定手段と、前記ユーザの運動可能レベルに応じて、前記ユーザに最適な運動時間及び運動強度が得られるように運動メニューの候補を選択する候補選択手段と、前記運動メニューの候補の中から、前記ユーザが実施する運動メニューを選択するための実施メニュー選択手段と、前記実施メニュー選択手段によって選択された運動メニューの履歴を記録する運動履歴記録手段とを備えることを特徴とする。
【０００６】
本願発明１によれば、ユーザの運動可能レベルに応じて、ユーザに適した運動メニューを具体的に提案することで、ユーザが運動に取り組みやすく、かつ、継続しやすくすることができる。
【０００７】
本願発明２は、本願発明１の運動支援装置において、前記ユーザの現在位置の天候情報を取得する天候情報取得手段を更に備え、前記候補選択手段は、前記天候情報に応じて、前記運動メニューの候補を選択することを特徴とする。
【０００８】
本願発明２によれば、ユーザの現在位置の天候を考慮して、運動メニューの候補を選択することにより、ユーザが運動に取り組みやすく、かつ、継続しやすくすることができる。
【０００９】
本願発明３は、本願発明１又は２の運動支援装置において、前記ユーザの現在位置を示す位置情報を取得する位置情報取得手段と、前記ユーザの現在位置付近の施設の情報を含む地図情報を取得する地図情報取得手段と、前記運動メニューの候補を表示する表示手段であって、前記運動メニューを実施する場合に最適な施設の情報を、前記運動メニューの候補とともに表示する表示手段とを更に備えることを特徴とする。
【００１０】
本願発明３によれば、ユーザの現在位置付近の施設に関する情報を考慮して、運動メニューの候補を提示することにより、ユーザが運動に取り組みやすく、かつ、継続しやすくすることができる。
【００１１】
本願発明４は、本願発明１から３の運動支援装置において、前記運動可能レベル判定手段は、前記記録手段に記録された運動メニューの履歴に基づいて、前記運動メニューの実施に継続性があると判断した場合に、前記運動可能レベルを上げることを特徴とする。
【００１２】
本願発明５は、本願発明１から４の運動支援装置において、前記運動可能レベル判定手段は、前記記録手段に記録された運動メニューの履歴に基づいて、前記運動メニューの実施に継続性がないと判断した場合に、前記運動可能レベルを下げることを特徴とする。
【００１３】
本願発明４及び５によれば、ユーザの運動の継続状況に基づいて運動可能レベルを加減して、見守られ感を演出することにより、ユーザが一層継続しやすくすることができる。
【００１４】
本願発明６に係る運動支援方法は、ユーザの身体情報及び日常生活における運動量を示す生活活動指数を取得する情報取得工程と、前記ユーザの身体情報及び生活活動指数に応じて、前記ユーザの運動可能レベルを判定する運動可能レベル判定工程と、前記ユーザの運動可能レベルに応じて、前記ユーザに最適な運動時間及び運動強度が得られるように運動メニューの候補を選択する候補選択工程と、前記運動メニューの候補の中から、前記ユーザが実施する運動メニューを選択するための実施メニュー選択工程と、前記実施メニュー選択工程において選択された運動メニューの履歴を記録する運動履歴記録工程とを備えることを特徴とする。
【００１５】
本願発明７は、本願発明６の運動支援方法において、前記ユーザの現在位置の天候情報を取得する天候情報取得工程を更に備え、前記候補選択工程において、前記天候情報に応じて、前記運動メニューの候補を選択することを特徴とする。
【００１６】
本願発明８は、本願発明６又は７の運動支援方法において、前記ユーザの現在位置を示す位置情報を取得する位置情報取得工程と、前記ユーザの現在位置付近の施設の情報を含む地図情報を取得する地図情報取得工程と、前記運動メニューを実施する場合に最適な施設の情報を取得して前記運動メニューの候補とともに表示する表示工程とを更に備えることを特徴とする。
【００１７】
本願発明９は、本願発明６から８の運動支援方法において、前記記録工程において記録された運動メニューの履歴に基づいて、前記運動メニューの実施に継続性があると判断した場合に、前記運動可能レベルを上げる工程を更に備えることを特徴とする。
【００１８】
本願発明１０は、本願発明６から９の運動支援方法において、前記記録工程において記録された運動メニューの履歴に基づいて、前記運動メニューの実施に継続性がないと判断した場合に、前記運動可能レベルを下げる工程を更に備えることを特徴とする。
【発明の効果】
【００１９】
本発明によれば、ユーザの運動可能レベルに応じて、ユーザに適した運動メニューを具体的に提案することで、ユーザが運動に取り組みやすく、かつ、継続しやすくすることができる。また、ユーザの現在位置の天候、地図情報、季節、時間等を考慮することにより、ユーザが運動に取り組みやすく、かつ、継続しやすくすることができる。
【発明を実施するための最良の形態】
【００２０】
以下、添付図面に従って本発明に係る運動支援装置及び運動支援方法の好ましい実施の形態について説明する。
【００２１】
［第１の実施形態］
図１は、本発明の第１の実施形態に係る運動支援装置の主要構成を示すブロック図である。本実施形態に係る運動支援装置１０は、ＣＰＵ１２、通信インターフェース部（通信Ｉ／Ｆ）１４、操作部１６、表示部１８、スピーカ２０、マイク２２及びメモリ２４を備えた携帯機器（例えば、携帯電話機）である。
【００２２】
ＣＰＵ１２は、バス２６を介して運動支援装置１０内の各部と接続されており、各部の動作制御を行う。通信Ｉ／Ｆ１４は、インターネットを介して通信するためのブロックである。操作部１６は、文字入力デバイスを含んでいる。
【００２３】
表示部１８は、画像や文字を表示するためのモニタである。また、スピーカ２０は通話時やコンテンツ再生時に音声を出力する装置であり、マイク２２は通話時等に音声を入力する装置である。
【００２４】
メモリ２４は、ＣＰＵ１２が処理するプログラム及び制御に必要な各種データ等が格納されるＲＯＭや、ＣＰＵ１２が各種の演算処理等を行う作業用領域となるＲＡＭ、操作部１６から入力されたデータやインターネットを介して取得したデータが記憶される記憶領域等を含んでいる。メモリ２４には、本実施形態の運動支援のためのアプリケーションプログラムとともに、運動可能レベル判定テーブルＴ１０及び運動メニュー判定テーブルＴ１２が格納される。
【００２５】
図２は、本実施形態に係る運動支援装置１０におけるＣＰＵ１２の処理の流れを示すフローチャートである。まず、ユーザから入力された身体情報及び生活活動指数が取得され（ステップＳ１０）、メモリ２４の身体情報履歴テーブルに保存される（ステップＳ１２）。身体情報とは、例えば、身長、体重、性別である。生活情報指数とは、日常生活で運動を行う頻度を示す指数であり、例えば、「あまり運動をしない」、「通勤や家事などで体を動かす」、「通常の生活＋１時間程度運動」、「肉体運動・スポーツ選手」等の選択肢の中から選択して入力可能になっている。そして、ステップＳ１０において入力された身長、体重から下記の式（１）に基づいて、ＢＭＩ指数（ボディ・マス・インデックス）が算出される（ステップＳ１４）。
【００２６】
（ＢＭＩ）＝（体重［ｋｇ］）÷（身長［ｍ］）２    …（１）
次に、運動可能レベル判定テーブルＴ１０に基づいて、ユーザの運動可能レベルが判定され（ステップＳ１６）、ユーザに推奨する運動メニューの候補（例えば、「ウォーキング１ｋｍ」、「ジョギング１ｋｍ」、「水泳１時間」、「ストレッチ３０分」）が選択される（ステップＳ１８）。
【００２７】
運動可能レベル判定テーブルＴ１０には、生活活動指数及びＢＭＩ指数の値と、運動可能レベルとの対応関係が格納されている。運動可能レベルは、ユーザが実施するのに適した運動のレベル（例えば、運動時間や運動時の強度（激しさ））を示す値であり、運動可能レベルが高いユーザほど激しい運動が可能になる。運動可能レベルは、例えば、ユーザのＢＭＩ指数が標準ＢＭＩ（例えば、２２．０）と乖離しているほど低レベルになる（即ち、激しい運動は困難になる）。また、運動可能レベルは、生活活動レベルが低いほど低レベルになる。ステップＳ１６では、運動可能レベル判定テーブルＴ１０において、ユーザによって入力された生活活動指数及びＢＭＩ指数の値に対応する運動可能レベルが求められる。
【００２８】
また、運動メニュー判定テーブルＴ１２には、運動可能レベルごとに、運動の種目（例えば、「ウォーキング」、「ジョギング」、「水泳」、「ストレッチ」）及び運動時間の情報を含む運動メニュー候補が格納されている。ステップＳ１８では、運動メニュー判定テーブルＴ１２において、ユーザの運動可能レベルに応じた運動メニュー候補が選択される。
【００２９】
上記のようにして選択された運動メニューの候補は表示部１８に表示される。そして、ユーザによって運動メニューが選択されると（ステップＳ２０）、選択結果がメモリ２２の運動履歴テーブルに保存される（ステップＳ２２）。運動履歴テーブルに保存された運動メニューの選択結果は、次回の運動メニュー候補の選択時（ステップＳ１８）に利用され、同種の運動メニュー（例えば、「ウォーキング」）が連続して選択された場合には、他の運動メニューを推奨する表示がなされる。
【００３０】
本実施形態によれば、ユーザの運動可能レベルに応じて、ユーザに適した運動メニューを具体的に提案することで、ユーザが運動に取り組みやすく、かつ、継続しやすくすることができる。
【００３１】
また、運動履歴テーブルに選択結果が継続して保存されている場合（ユーザが運動を継続して実施している場合）には、運動可能レベルを上げるようにしてもよい。また、運動履歴テーブルに選択結果が継続して保存されていない場合（ユーザが運動を継続して実施していない場合）には、運動可能レベルを下げるようにしてもよい。このように、ユーザの運動の継続状況に基づいて運動可能レベルを加減して、見守られ感を演出することにより、ユーザが一層継続しやすくすることができる。
【００３２】
［第２の実施形態］
次に、本発明の第２の実施形態について説明する。なお、以下の説明において、上記第１の実施形態と同様の構成については説明を省略する。
【００３３】
本実施形態に係る運動支援装置１０では、運動可能レベル判定テーブルＴ１０及び運動メニュー判定テーブルＴ１２に加えて、天候−運動メニュー対応テーブルＴ１４がメモリ２４に格納されている。
【００３４】
天候−運動メニュー対応テーブルＴ１４には、いろいろな天候の下で実施するのに最適な運動の種目が格納されている。
【００３５】
図３は、本実施形態に係る運動支援装置１０におけるＣＰＵ１２の処理の流れを示すフローチャートである。まず、ユーザから入力された身体情報及び生活活動指数が取得され（ステップＳ３０）、メモリ２４の身体情報履歴テーブルに保存される（ステップＳ３２）。そして、ステップＳ３０において入力された身長、体重から上記の式（１）に基づいて、ＢＭＩ指数が算出される（ステップＳ３４）。
【００３６】
次に、運動可能レベル判定テーブルＴ１０に基づいて、ユーザの運動可能レベルが判定され（ステップＳ３６）、ユーザに推奨する運動メニューの候補が選択される（ステップＳ３８）。
【００３７】
次に、ユーザの現在位置における天候情報（例えば、天気、気温、湿度）が取得され（ステップＳ４０）、ユーザの現在位置の天候の条件に基づいて、天候−運動メニュー対応テーブルＴ１４が検索され、運動メニューの候補が絞り込まれる（ステップＳ４２）。ステップＳ４０の天候情報は、例えば、ユーザが天候情報を入力するための入力画面を表示部１８に出力することにより取得される。また、ユーザの現在位置を示す情報（例えば、郵便番号、地名）を入力するか、又はＧＰＳ機能を用いてユーザの現在位置に関する情報を取得し、インターネット上の気象情報サイトから天候情報を取得するようにしてもよい。
【００３８】
上記のようにして絞り込まれた運動メニューの候補は表示部１８に表示される。そして、ユーザによって運動メニューが選択されると（ステップＳ４４）、選択結果がメモリ２２の運動履歴テーブルに保存される（ステップＳ４６）。運動履歴テーブルに保存された運動メニューの選択結果は、次回の運動メニュー候補の選択時（ステップＳ３８）に利用される。
【００３９】
本実施形態によれば、ユーザの現在位置の天候を考慮して、例えば、雨の日には室内でのストレッチ、暑い日には水泳のように環境に合わせた運動メニューをユーザに提供することができる。これにより、ユーザが運動に取り組みやすく、かつ、継続しやすくすることができる。
【００４０】
なお、本実施形態では、例えば、運動する時点の季節、時間の情報（例えば、真夏／真冬、朝／昼／夕方／夜）を取得し、戸外／屋内等の運動を行う場所や、運動メニューの候補を絞り込むようにしてもよい。例えば、夜間であれば、屋内で実施可能な運動種目を推奨するようにすればよい。
【００４１】
［第３の実施形態］
次に、本発明の第３の実施形態について説明する。図４は、本実施形態に係る運動支援装置１０の主要構成を示すブロック図である。本実施形態に係る運動支援装置１０は、ＧＰＳ情報取得部２８及び地図情報取得部３０を備えている。
【００４２】
ＧＰＳ情報取得部２８は、ユーザの現在位置を示す位置情報（ＧＰＳ情報。例えば、経度、緯度）を取得する。
【００４３】
地図情報取得部３０は、ユーザの現在位置付近の地図情報（例えば、ランドマークとなりうる建築物までの経路に関する情報）を取得する。なお、地図情報は、運動支援装置１０に格納するようにしてもよいし、インターネットを介して取得するようにしてもよい。
【００４４】
図５は、本実施形態に係る運動支援装置１０におけるＣＰＵ１２の処理の流れを示すフローチャートである。まず、ユーザから入力された身体情報及び生活活動指数が取得され（ステップＳ５０）、メモリ２４の身体情報履歴テーブルに保存される（ステップＳ５２）。そして、ステップＳ３０において入力された身長、体重から上記の式（１）に基づいて、ＢＭＩ指数が算出される（ステップＳ５４）。
【００４５】
次に、運動可能レベル判定テーブルＴ１０に基づいて、ユーザの運動可能レベルが判定され（ステップＳ５６）、ユーザに推奨する運動メニューの候補が選択される（ステップＳ５８）。
【００４６】
次に、ユーザの現在位置を示すＧＰＳ情報が取得され（ステップＳ６０）、ユーザの現在位置付近の地図情報が取得される（ステップＳ６２）。そして、上記ＧＰＳ情報及び地図情報に基づいて運動メニューの候補が生成され、表示部１８表示される。例えば、運動メニューが「ウォーキング」又は「ランニング」の場合には、運動可能レベルを考慮して、例えば、「Ａ地点まで散歩してみましょう」のように、ユーザの現在位置から適当な距離にある建物までの「ウォーキング」又は「ランニング」を提案する表示がなされる。また、ステップＳ５８において選択された運動種目が実施可能な施設（例えば、運動種目が「水泳」等の場合には、最寄りのプール、海水浴場等）までの道順又は地図が運動メニュー候補と一緒に表示される。
【００４７】
次に、ユーザによって運動メニューが選択されると（ステップＳ６６）、選択結果がメモリ２２の運動履歴テーブルに保存される（ステップＳ６８）。運動履歴テーブルに保存された運動メニューの選択結果は、次回の運動メニュー候補の選択時（ステップＳ５８）に利用される。
【００４８】
本実施形態によれば、ユーザの現在位置及びその付近の地図情報を利用することにより、より具体的な運動メニューをユーザに提供することができる。これにより、ユーザが運動に取り組みやすく、かつ、継続しやすくすることができる。
【図面の簡単な説明】
【００４９】
【図１】本発明の第１の実施形態に係る運動支援装置の主要構成を示すブロック図
【図２】本発明の第１の実施形態に係る運動支援装置１０におけるＣＰＵ１２の処理の流れを示すフローチャート
【図３】本発明の第２の実施形態に係る運動支援装置１０におけるＣＰＵ１２の処理の流れを示すフローチャート
【図４】本発明の第３の実施形態に係る運動支援装置の主要構成を示すブロック図
【図５】本発明の第３の実施形態に係る運動支援装置１０におけるＣＰＵ１２の処理の流れを示すフローチャート
【符号の説明】
【００５０】
１０…運動支援装置、１２…ＣＰＵ、１４…通信インターフェース部（通信Ｉ／Ｆ）、１６…操作部、１８…表示部、２０…スピーカ、２２…マイク、２４…メモリ、２８…ＧＰＳ情報取得部、３０…地図情報取得部、Ｔ１０…運動可能レベル判定テーブル、Ｔ１２…運動メニュー判定テーブル、Ｔ１４…天候−運動メニュー対応テーブル
【図１】
2008250551.tif 000003
【図２】
2008250551.tif 000004
【図３】
2008250551.tif 000005
【図４】
2008250551.tif 000006
【図５】
2008250551.tif 000007